【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
電気を生成する方法であって、
波の運動を機械的動力に変換することと、
該機械的動力を使用して第１の動作流体を第１のリザーバに駆動することと、
該機械的動力を使用して第２の動作流体を第２のリザーバに駆動することと、
該第１および第２のリザーバのうちの少なくとも一つから該動作流体を流すことと、
該流れる動作流体の運動エネルギーの少なくとも一部分を電気エネルギーに変換することと
を包含する、方法。
【請求項２】
前記第１および第２のリザーバは、陸上のリザーバである、請求項１に記載の方法。
【請求項３】
前記第１のリザーバは、前記第２のリザーバよりも低い高度に位置する、請求項１に記載の方法。
【請求項４】
前記第１の動作流体は、前記第２の動作流体と同一である、請求項１に記載の方法。
【請求項５】
前記第１および第２の動作流体は、水である、請求項１に記載の方法。
【請求項６】
前記第１および第２の動作流体は、空気である、請求項１に記載の方法。
【請求項７】
前記波の運動を機械的動力に変換することは、前記波の運動に応じてピストンを第１の方向および第２の方向に運動させることを含む、請求項１に記載の方法。
【請求項８】
前記第１および第２の動作流体を駆動することは、
ピストンを第２の方向に運動させることによって、前記波の運動に応じて前記動作流体を吸い込むことと、
該ピストンを第１の方向に運動させることによって、前記波の運動に応じて前記動作流体を排出することと
をさらに包含する、請求項１に記載の方法。
【請求項９】
前記第１の動作流体は、第１の大きさの波の運動に応じて駆動され、
前記第２の動作流体は、第２の大きさの波の運動に応じて駆動される、請求項１に記載の方法。
【請求項１０】
前記第１のリザーバは、前記第２のリザーバよりも低い高度に位置し、
前記第１の動作流体は、第１の大きさの波の運動に応じて前記第１のリザーバに駆動され、
前記第２の動作流体は、第２の大きさの波の運動に応じて前記第２のリザーバに駆動され、
該第２の大きさは、該第１の大きさよりも大きい、請求項１に記載の方法。
【請求項１１】
前記第１および第２のリザーバは、陸上のリザーバである、請求項１０に記載の方法。
【請求項１２】
前記動作流体を流す前記ステップは、該動作流体の前記運動エネルギーを前記電気エネルギーに変換するために、該動作流体を重力によって下降させることを含む、請求項１に記載の方法。
【請求項１３】
前記動作流体を流す前記ステップは、前記動作流体の前記運動エネルギーを前記電気エネルギーに変換することのために、圧力を利用して該動作流体を流すことを含む、請求項１に記載の方法。
【請求項１４】
前記動作流体を変換する前記ステップは、前記流れる動作流体を使用してタービンを駆動することを含む、請求項１に記載の方法。
【請求項１５】
前記電気エネルギーを電力グリッドに印加することをさらに包含する、請求項１に記載の方法。
【請求項１６】
電気を生成するシステムであって、
水域に位置し、該水域からの波の運動を機械的エネルギーに変換するように動作可能なポンプであって、該ポンプは、入力ポートと出力ポートとを含み、該入力ポートを通して動作流体を吸い込み、該出力ポートを通して該動作流体を駆動するように動作可能である、ポンプと、
該ポンプの該出力ポートに流体的に結合された第１の出口ラインであって、該第１の出口ラインは該出力ポートを通して外部に駆動された該動作流体を受け取ることが可能である、第１の出口ラインと、
該ポンプの該出力ポートに流体的に結合された第２の出口ラインであって、該第２の出口ラインは該出力ポートを通して外部に駆動された該動作流体を受け取ることが可能である、第２の出口ラインと、
該第１の出口ラインと流体的に結合された第１のリザーバと、
該第２の出口ラインと流体的に結合された第２のリザーバと
を備える、システム。
【請求項１７】
前記ポンプは、
波の運動に応じて運動し、前記動作流体を駆動するように動作可能な、浮力ブロックをさらに備える、請求項１６に記載のシステム。
【請求項１８】
前記ポンプは、
波の運動に応じて第１の方向および第２の方向に運動するように動作可能な浮力ブロックと、
該浮力ブロックに接続され、ピストンチャンバ内に位置するピストンであって、該浮力ブロックが該第１の方向および該第２の方向に運動するときに、該浮力ブロックは該ピストンを往復的に駆動し、該ピストンは、該ピストンチャンバ内で運動することによって、該浮力ブロックが該第２の方向に運動するときに該動作流体を吸い込み、該浮力ブロックが該第１の方向に運動するときに該動作流体を駆動する、ピストンと
をさらに備える、請求項１６に記載のシステム。
【請求項１９】
前記第１の方向は上であり、前記第２の方向は下である、請求項１８に記載のシステム。
【請求項２０】
前記浮力ブロックは、該浮力ブロックが第１の体積に調整されるときに第１の最大浮力を提供し、該浮力ブロックが第２の体積に調整されるときに第２の最大浮力を提供するように、体積を調整可能である、請求項１６に記載のシステム。
【請求項２１】
前記浮力ブロックは、軸方向に調整可能である、請求項２０に記載のシステム。
【請求項２２】
前記浮力ブロックは、伸縮自在に調整可能である、請求項２１に記載のシステム。
【請求項２３】
前記浮力ブロックは、半径方向に調整可能である、請求項２０に記載のシステム。
【請求項２４】
前記第１の体積は、前記第２の体積よりも小さく、
前記第１の最大浮力は、前記第２の最大浮力よりも小さい、請求項２０に記載のシステム。
【請求項２５】
前記浮力ブロックは、平均的な波の高さに基づいて、前記第１および第２の体積のうちの一つに調整される、請求項２０に記載のシステム。
【請求項２６】
前記浮力ブロックは、前記ポンプが第１の平均的な波の高さの波にさらされるときに、前記第１の体積に調整され、
該浮力ブロックは、該ポンプが第２の平均的な波の高さの波にさらされるときに、前記第２の体積に調整される、請求項２０に記載のシステム。
【請求項２７】
前記第１の平均的な波の高さは、前記第２の平均的な波の高さよりも低く、
前記第１の体積は、前記第２の体積よりも小さく、
前記第１の最大浮力は、前記第２の最大浮力よりも小さい、請求項２６に記載のシステム。
【請求項２８】
前記第１のリザーバは、前記第２のリザーバよりも低い高度に配置される、請求項１６に記載のシステム。
【請求項２９】
前記第１の平均的な波の高さは、前記第２の平均的な波の高さよりも低く、
前記第１の体積は、前記第２の体積よりも小さく、
前記第１の最大浮力は、前記第２の最大浮力よりも小さく、
前記第１のリザーバは、前記第２のリザーバよりも低い高度に配置される、請求項２６に記載のシステム。
【請求項３０】
前記浮力ブロックが前記第１の体積に調整されるときに、前記動作流体は、前記第１の出口ラインを通して前記第１のリザーバに向けられ、
該浮力ブロックが前記第２の体積に調整されるときに、該動作流体は、前記第２の出口ラインを通して前記第２のリザーバに向けられる、請求項２９に記載のシステム。
【請求項３１】
前記リザーバのうちの少なくとも一つは、前記ポンプの上に搭載されている、請求項１６に記載のシステム。
【請求項３２】
前記動作流体は、第１の動作流体と、該第１の動作流体とは異なる第２の動作流体とを含み、
該第１の動作流体は、前記第１のリザーバにポンピングされ、
該第２の動作流体は、前記第２のリザーバにポンピングされる、請求項１６に記載のシステム。
【請求項３３】
前記第１の動作流体は水であり、前記第２の動作流体は空気である、請求項３２に記載のシステム。
【請求項３４】
前記ポンプは、
波の運動に応じて運動し、かつ前記動作流体を駆動するように動作可能な、浮力ブロックと、
該浮力ブロックの浸水を可能にする、該浮力ブロックと動作可能に関連する、リリーフポートと
をさらに備える、請求項１６に記載のシステム。
【請求項３５】
前記浮力ブロックが所定の限界を超える浮力を及ぼすときに、該浮力ブロックの浸水が生じる、請求項３４に記載のシステム。
【請求項３６】
前記浮力ブロックが前記水域の表面の下の所定の深さを超えるときに、該浮力ブロックの浸水が生じる、請求項３４に記載のシステム。
【請求項３７】
前記浮力ブロックが所定の限界を超える波の高さを有する波に遭遇するときに、該浮力ブロックの浸水が生じる、請求項３４に記載のシステム。
【請求項３８】
前記動作流体は、水である第１の動作流体と、空気である第２の動作流体とを含み、
該第１の動作流体は、前記第１のリザーバにポンピングされ、
該第２の動作流体は、前記第２のリザーバにポンピングされる、請求項３４に記載のシステム。
【請求項３９】
前記第２のリザーバは、前記ポンプ上に搭載されている空気タンクであり、加圧された空気を格納するために使用される、請求項３８に記載のシステム。
【請求項４０】
前記空気タンクは、前記浮力ブロックに流体的に接続され、該空気タンクから該浮力ブロックの中に空気を方向転換させることによって、浸水後に該浮力ブロックを上昇させる、請求項３９に記載のシステム。
【請求項４１】
加圧された気体源が前記浮力ブロックに流体的に接続されることによって、浸水後に該浮力ブロックを上昇させる、請求項３４に記載のシステム。
【請求項４２】
前記第１および第２のリザーバは、陸上のリザーバである、請求項１６に記載のシステム。
【請求項４３】
浮力ブロックハウジングであって、その中に浮力チャンバを定義し、該浮力チャンバを通して波が流れ得、該浮力ブロックは、該浮力チャンバによって受け入れられ、該浮力ブロックは、該波に応じて、該浮力チャンバ内での往復運動が可能である、浮力ブロックハウジングと、
該浮力ブロックハウジングに接続されたピストンシリンダと、
該ピストンシリンダ内に配置された少なくとも一つの弁であって、該浮力ブロックの該第２の方向への運動に応じて入口として動作し、該浮力ブロックの該第１の方向への運動に応じて出口として動作する、弁と、
該ピストンシリンダ内にスライド可能に配置され、該浮力ブロックに接続された、ピストンであって、該ピストンは、該第１および第２の方向に運動可能であり、該浮力ブロックの該第２の方向への運動に応じて、動作流体を該少なくとも一つの弁を通して該ピストンシリンダの中に引き込み、該浮力ブロックの該第１の方向への運動に応じて、該動作流体を該少なくとも一つの弁を通して出力する、ピストンと
をさらに備える、請求項５８に記載の浮力ポンプ。
【請求項４４】
前記浮力ブロックが所定の限界を超える浮力を及ぼすときに、該浮力ブロックの浸水が生じる、請求項４３に記載の浮力ポンプ。
【請求項４５】
前記浮力ブロックが前記水域の表面の下の所定の深さを超えるときに、該浮力ブロックの浸水が生じる、請求項４３に記載の浮力ポンプ
【請求項４６】
前記浮力ブロックが所定の限界を超える波の高さを有する波に遭遇するときに、該浮力ブロックの浸水が生じる、請求項４３に記載の浮力ポンプ。
【請求項４７】
前記波および前記動作流体は、同一の種類の流体である、請求項４３に記載の浮力ポンプ。
【請求項４８】
前記水域からの水は、前記浮力ブロックを浸水させるために使用される、請求項４３に記載の浮力ポンプ。
【請求項４９】
前記浮力ブロックが浸水されないときに、前記リリーフポートを密閉するように、該リリーフポートによって受け止められる、ストッパと、
該ストッパに接続されたつなぎであって、前記第１の方向における所定の限界を超える運動が該リリーフポートから該ストッパを押しのけ、それによって該浮力ブロックを浸水させる、つなぎと
をさらに備える、請求項４３に記載の浮力ポンプ。
【請求項５０】
前記リリーフポートと動作可能に関連づけられたリリーフ弁と、
該リリーフ弁を選択的に開閉するように該リリーフ弁に接続されたコントローラと、
前記駆動する流体の圧力を監視するために該コントローラに接続された圧力センサと
をさらに備える、請求項４３に記載の浮力ポンプ。
【請求項５１】
前記駆動する流体の前記圧力が所定の限界を超えるときに、前記リリーフ弁が開けられる、請求項５０に記載の浮力ポンプ。
【請求項５２】
前記リリーフポートと動作可能に関連づけられたリリーフ弁と、
該リリーフ弁を選択的に開閉するように該リリーフ弁に接続されたコントローラと、
前記浮力ブロックに近い波の高さを監視するように該コントローラに接続されたセンサと
をさらに備える、請求項４３に記載の浮力ポンプ。
【請求項５３】
前記波のうちの少なくとも一つの高さが所定の限界を超えるときに、前記リリーフ弁が開かれる、請求項５２に記載の浮力ポンプ。
【請求項５４】
前記リリーフポートと動作可能に関連づけられたリリーフ弁と、
該リリーフ弁を選択的に開閉するように該リリーフ弁に接続されたコントローラと
をさらに備える、請求項４３に記載の浮力ポンプ。
【請求項５５】
前記コントローラが遠隔で操作される、請求項５４に記載の浮力ポンプ。
【請求項５６】
浸水の後に前記浮力ブロックを解放するように該浮力ブロックに流体的に接続された加圧された気体源をさらに備える、請求項４３に記載の浮力ポンプ。
【請求項５７】
前記加圧された気体源は、前記ポンプ上に搭載されている、請求項５６に記載の浮力ポンプ。
【請求項５８】
水域において使用されるための浮力ポンプであって、
該水域からの波の運動に反応し、該水域における波の上昇および下降に応じて第１の方向および第２の方向に往復運動をすることによって動作流体を駆動するように動作可能な、浮力ブロックと、
該浮力ブロックの浸水を可能にするように該浮力ブロックに動作可能に関連づけられたリリーフポートと
を備える、浮力ポンプ。
【請求項５９】
水域において使用される浮力ポンプであって、
複数の間隔を空けて配置された複数の杭打ちであって、浮力チャンバをその間に定義する複数の杭打ちを有する浮力ブロックハウジングと、
該浮力チャンバ内に配置され、該水域における波の上昇および下降に応じて第１の方向および第２の方向に往復運動することによって動作流体を駆動するように動作可能な浮力ブロックと、
該浮力ブロックの外面に配置された少なくとも一つのスライドマウントであって、該スライドマウントは、該浮力ブロックが該浮力チャンバ内で往復運動をするときに該浮力ブロックを案内するように該杭打ちの一つを受け入れるように方向づけられた案内通路を含む、スライドマウントと
を備える、浮力ポンプ。
【請求項６０】
前記浮力ブロックに接続され、ピストンチャンバ内に位置するピストンであって、該浮力ブロックが該第１の方向および該第２の方向に運動するときに、該浮力ブロックは該ピストンを往復的に駆動し、該ピストンは、該ピストンチャンバ内で運動することによって、該浮力ブロックが該第２の方向に運動するときに該動作流体を吸い込み、該浮力ブロックが該第１の方向に運動するときに該動作流体を駆動する、ピストンをさらに備える、請求項５９に記載の浮力ポンプ。
【請求項６１】
前記浮力チャンバは、概ね円筒形である、請求項５９に記載の浮力ポンプ。
【請求項６２】
前記杭打ちは、前記水域の下の地面に固定される、請求項５９に記載の浮力ポンプ。
【請求項６３】
前記浮力ブロックは、
概ね円筒形で軸方向に先細り状の上部と、
概ね円筒形の下部と
をさらに備える、請求項５９に記載の浮力ポンプ。
【請求項６４】
前記スライドマウントは、前記浮力ブロックの下部に配置される、請求項６３に記載の浮力ポンプ。
【請求項６５】
前記浮力ブロックハウジングに接続されたピストンシリンダと、
該ピストンシリンダ内に配置された少なくとも一つの弁であって、該浮力ブロックの該第２の方向への運動に応じて入口として動作し、該浮力ブロックの該第１の方向への運動に応じて出口として動作する、弁と、
該ピストンシリンダ内にスライド可能に配置され、該浮力ブロックに接続された、ピストンであって、該ピストンは、該第１および第２の方向に運動可能であり、該浮力ブロックの該第２の方向への運動に応じて、動作流体を該少なくとも一つの弁を通して該ピストンシリンダの中に引き込み、該浮力ブロックの該第１の方向への運動に応じて、該動作流体を該少なくとも一つの弁を通して出力する、ピストンと
をさらに備える、請求項５９に記載の浮力ポンプ。
【請求項６６】
浮力ポンプであって、水域における波の上昇および下降に応じて第１の方向および第２の方向に往復運動をすることによって動作流体を駆動するように動作可能な浮力ブロックを備え、該浮力ブロックは、該浮力ポンプが動作する該水域の動作場所における波の平均的な波長の約１／６以上の直径を有する、浮力ポンプ。
【請求項６７】
前記浮力ブロックの直径は、前記平均的な波長の約１／２以上である、請求項６６に記載の浮力ポンプ。
【請求項６８】
前記浮力ブロックの直径は、前記平均的な波長以下である、請求項６６に記載の浮力ポンプ。
【請求項６９】
前記浮力ブロックの直径は、前記平均的な波長の約１／２以上であり、かつ該平均的な波長以下である、請求項６６に記載の浮力ポンプ。
【請求項７０】
前記浮力ブロックは、
略円筒形で軸方向に先細り状の上部と、
略円筒形の下部と
をさらに備える、請求項６６に記載の浮力ポンプ。
【請求項７１】
前記先細り状の上部は、前記水域の上面と実質的に平行である上面において終結する、請求項７０に記載の浮力ポンプ。
【請求項７２】
前記先細り状の上部の高さは、前記下部の高さと実質的に等しい、請求項７０に記載の浮力ポンプ。
【請求項７３】
前記先細り状の上部は、標準的な波に近い傾斜に一致するように先細り状になっている、請求項７０に記載の浮力ポンプ。
【請求項７４】
前記標準的な波の傾斜は、約１：７（上昇：走行）である、請求項７３に記載の浮力ポンプ。
【請求項７５】
前記浮力ブロックが前記波に浮かびながら最大の高さに達するときに、該浮力ブロックの体積の少なくとも約１／３が前記水域の外に出たままであるように、該浮力ブロックが設計される、請求項６６に記載の浮力ポンプ。
【請求項７６】
水域において使用される浮力ポンプであって、
該水域からの波の動作に反応し、該水域における波の上昇および下降に応じて第１の方向および第２の方向に往復運動することによって動作流体を駆動するように動作可能な、浮力ブロックと、
該浮力ブロックの下に配置された第１のピストンシリンダと、
該浮力ブロックの上に配置された第２のピストンシリンダと、
該第１のピストンシリンダを該第２のピストンシリンダに流体的に接続する導管と、
該浮力ブロックに動作可能なように接続され、該第１のピストンシリンダによってスライド可能なように受け入れられた第１のピストンであって、該第１のピストンは、該浮力ブロックが該第１の方向に運動するときに、動作流体を該第１のピストンシリンダの中に引き込むように動作可能であり、該第１のピストンは、該浮力ブロックが該第２の方向に運動するときに、該第１のピストンシリンダから動作流体を該導管の中に駆動するように動作可能である、第１のピストンと、
該浮力ブロックに動作可能なように接続され、該第２のピストンシリンダによってスライド可能なように受け入れられた第２のピストンであって、該第２のピストンは、該浮力ブロックが該第２の方向に運動するときに、該導管から動作流体を受け入れ、該浮力ブロックが該第１の方向に運動するときに、該第２のピストンシリンダから動作流体を駆動するように動作可能である、第２のピストンと
を備える、浮力ポンプ。
【請求項７７】
前記浮力ブロックをスライド可能なように受け入れる浮力ブロックハウジングをさらに備える、請求項７６に記載の浮力ポンプ。
【請求項７８】
水域において使用される浮力ポンプであって、
該水域からの波の動作に反応し、該水域における波の上昇および下降に応じて第１の方向および第２の方向に往復運動することによって動作流体を駆動するように動作可能な浮力ブロックと、
該浮力ブロックに接続されたピストンシャフトであって、該ピストンシャフトは、複数の入れ子型チューブを有する、ピストンシャフトと、
該ピストンシャフトに接続され、該ピストンシリンダによってスライド可能なように受け入れられたピストンであって、該ピストンは、該浮力ブロックが該第２の方向に運動するときに、動作流体を該ピストンシリンダの中に引き込むように動作可能であり、該ピストンは、該浮力ブロックが該第１の方向に運動するときに、該ピストンシリンダから動作流体を駆動するように動作可能である、ピストンと
を備える、浮力ポンプ。
【請求項７９】
前記ピストンシャフトは、前記浮力ブロックと前記ピストンとのうちの少なくとも１つに、ボール嵌合によって枢動可能なように接続されている、請求項７８に記載の浮力ポンプ。
【手続補正２】
【補正対象書類名】明細書
【補正対象項目名】０１７９
【補正方法】変更
【補正の内容】
【０１７９】
浮力ポンプデバイス１５１０からの出口ライン１５２５は、崖の頂上１５４０の上で一つ以上のリザーバ１５３５を支える崖１５３０に向かって、底１５１５に沿って延び得る。代替的に、リザーバ１５３５は、一つ以上の地中のプールまたは池として、崖の頂上１５４０の中に構築され得る。出口ライン１５２５は、リザーバ１５３５の一番上または一番上の近くに水を運ぶ水供給として動作する。一実施形態において、リザーバ１５３５は、二次的使用を提供するように形成され得る。一つのそのような二次的使用は、魚の孵化場である。リザーバ１５３５は、浮力ポンプデバイス１５１０からポンピングされた水を格納するように動作することによって、崖１５３０の底または底の近くに位置するタービンハウス１５４５の中に位置する一つ以上のタービン１５３８を動作させ、重力の機能としてタービン１５３８に適用される最大水圧を提供する。代替的に、タービンハウス１５４５は、リザーバよりも下にあり、かつタービン１５３８を駆動する能力がある限りは、他の場所に位置し得る。当該技術分野において理解されるように、異なるタービンは異なる水圧において動作するので、崖の高さおよび／またはリザーバ１５３５の下のタービンの距離は、利用されるタービンの種類に基づき得る。タービン１５３８によって生成される電気は、電力グリッド１５５５に配電するために電力線１５５０に伝導され得る。
【手続補正３】
【補正対象書類名】明細書
【補正対象項目名】０２０１
【補正方法】変更
【補正の内容】
【０２０１】
【図１】図１は、浮力ポンプ電力システムにおいて使用されるための、本発明の原理に従った第１の実施形態における浮力ポンプデバイスの分解側面立面図である。
【図２Ａ】図２Ａは、図１の浮力ポンプデバイスの上面図である。
【図２Ｂ】図２Ｂは、線２Ｂ〜２Ｂの沿って取られた図２Ａの断面図である。
【図２Ｃ】図２Ｃは、図１の組み立てられた浮力ポンプデバイスの側面図である。
【図３Ａ】図３Ａは、本発明の原理に従った例示的な浮力ブロックの上面図である。
【図３Ｂ】図３Ｂは、本発明の原理に従った例示的な浮力ブロックの側面図である。
【図３Ｃ】図３Ｃは、本発明の原理に従った例示的な浮力ブロックの投影立面図である。
【図３Ｄ】図３Ｄは、望遠鏡のように伸縮する部分を有する例示的な浮力ブロックの部分的な断面図である。
【図３Ｅ】図３Ｅは、収縮した構成における例示的な浮力ブロックの例示的な調整可能なベース部分の上面図である。
【図３Ｆ】図３Ｆは、拡張した構成における例示的な浮力ブロックの例示的な調整可能なベース部分の上面図である。
【図４Ａ】図４Ａは、波が浮力ポンプデバイスを通過するときの図１の浮力ポンプデバイスの側面図である。
【図４Ｂ】図４Ｂは、波が浮力ポンプデバイスを通過するときの図１の浮力ポンプデバイスの側面図である。
【図４Ｃ】図４Ｃは、波が浮力ポンプデバイスを通過するときの図１の浮力ポンプデバイスの側面図である。
【図４Ｄ】図４Ｄは、例示的な波の概略図である。
【図５】図５は、本発明の原理に従った浮力ポンプ電力システムにおいて使用される例示的な浮力ポンプデバイスの代替の実施形態の立面側面図である。
【図６】図６は、本発明の原理に従った浮力ポンプ電力システムにおいて使用される例示的な浮力ポンプデバイスのさらに別の実施形態の立面側面図である。
【図７】図７は、本発明の原理に従った浮力ポンプ電力システムにおいて使用される例示的な浮力ポンプデバイスの別の実施形態の立面側面図である。
【図８】図８は、本発明の原理に従った浮力ポンプ電力システムにおいて使用される例示的な浮力ポンプデバイスの例示的な波ポンプのさらに別の実施形態の立面側面図である。
【図９】図９は、本発明の原理に従った浮力ポンプ電力システムにおいて使用される例示的な浮力ポンプデバイスの別の実施形態の立面側面図である。
【図１０】図１０は、本発明の原理に従った浮力ポンプ電力システムにおいて使用される例示的な浮力ポンプデバイスのさらに別の実施形態の立面側面図である。
【図１１】図１１は、本発明の原理に従った浮力ポンプ電力システムにおいて使用される例示的なアクイカルチャーリグに結合された浮力ポンプデバイスの立面側面図である。
【図１２Ａ】図１２Ａは、浮力ポンプデバイスの別の実施形態の構造部材として使用され得る例示的な浮力チャンバリングの図示である。
【図１２Ｂ】図１２Ｂは、図１２Ａに示される浮力チャンバリングを利用する図１の浮力チャンバの断面に沿って取られた透視上面図である。
【図１２Ｃ】図１２Ｃは、ピストンチャンバのキャップとして構成された図１２Ａの浮力チャンバリングの別の実施形態である。
【図１３】図１３は、波のデータに基づいて浮力ブロックのサイズを動的に決定および／または調整するシステムの図面であり、そのようなシステムは、コンピューティングシステムのモニタ上に表示される例示的な浮力ブロックの概略図の画像を示す。
【図１４】図１４は、本発明の原理に従った貯水塔を利用する例示的な浮力ポンプ電力システムの立面図である。
【図１５】図１５は、本発明の原理に従った代替の実施形態における浮力ポンプ電力システムの立面図である。
【図１６】図１６は、代替の実施形態におけるさらに別の浮力ポンプ電力システムの立面図である。
【図１７Ａ】図１７Ａは、海洋における波に応答して流体をリザーバに駆動するように構成された浮力ポンプデバイスを含む例示的なポンプフィールド１７００の図示である。
【図１７Ｂ】図１７Ｂは、特定の浮力ポンプデバイスを含む、浮力ポンプデバイスの構成の拡大図である。
【図１８】図１８は、浮力ポンプシステムによって駆動された動作流体を受け入れる能力のある複数のリザーバを有する、本発明の実施形態に従った浮力ポンプシステムである。
【図１９】図１９は、本発明の実施形態に従った浮力ポンプである。
【図２０】図２０は、本発明の実施形態に従った浮力ポンプの組み立ておよび詳細の図である。
【図２１】図２１は、本発明の実施形態に従った浮力ポンプの組み立ておよび詳細の図である。
【図２２Ａ】図２２Ａは、本発明の実施形態に従った浮力ポンプの組み立ておよび詳細の図である。
【図２２Ｂ】図２２Ｂは、本発明の実施形態に従った浮力ポンプの組み立ておよび詳細の図である。
【図２２Ｃ】図２２Ｃは、本発明の実施形態に従った浮力ポンプの組み立ておよび詳細の図である。
【図２２Ｄ】図２２Ｄは、本発明の実施形態に従った浮力ポンプの組み立ておよび詳細の図である。
【図２３Ａ】図２３Ａは、本発明の実施形態に従った浮力ポンプの組み立ておよび詳細の図である。
【図２３Ｂ】図２３Ｂは、本発明の実施形態に従った浮力ポンプの組み立ておよび詳細の図である。
【図２４Ａ】図２４Ａは、本発明の実施形態に従った浮力ポンプの組み立ておよび詳細の図である。
【図２４Ｂ】図２４Ｂは、本発明の実施形態に従った浮力ポンプの組み立ておよび詳細の図である。
【図２４Ｃ】図２４Ｃは、本発明の実施形態に従った浮力ポンプの組み立ておよび詳細の図である。
【図２５】図２５は、本発明の実施形態に従った浮力ポンプの組み立ておよび詳細の図である。
【図２６】図２６は、本発明の実施形態に従った浮力ポンプの組み立ておよび詳細の図である。
【図２７】図２７は、本発明の実施形態に従った浮力ポンプの組み立ておよび詳細の図である。
【図２８】図２８は、本発明の実施形態に従った浮力ポンプの組み立ておよび詳細の図である。
【図２９】図２９は、本発明の実施形態に従った浮力ポンプの組み立ておよび詳細の図である。
【図３０】図３０は、本発明の実施形態に従った浮力ポンプの組み立ておよび詳細の図である。
【図３１】図３１は、本発明の実施形態に従った浮力ポンプの組み立ておよび詳細の図である。
【図３２】図３２は、本発明の実施形態に従った浮力ポンプの組み立ておよび詳細の図である。
【図３３】図３３は、本発明の実施形態に従った浮力ポンプの組み立ておよび詳細の図である。
【図３４Ａ】図３４Ａは、本発明の実施形態に従った浮力ポンプの組み立ておよび詳細の図である。
【図３４Ｂ】図３４Ｂは、本発明の実施形態に従った浮力ポンプの組み立ておよび詳細の図である。
【図３５Ａ】図３５Ａは、本発明の実施形態に従った浮力ポンプの組み立ておよび詳細の図である。
【図３５Ｂ】図３５Ｂは、本発明の実施形態に従った浮力ポンプの組み立ておよび詳細の図である。
【図３５Ｃ】図３５Ｃは、本発明の実施形態に従った浮力ポンプの組み立ておよび詳細の図である。
【図３６Ａ】図３６Ａは、本発明の実施形態に従った浮力ポンプの組み立ておよび詳細の図である。
【図３６Ｂ】図３６Ｂは、本発明の実施形態に従った浮力ポンプの組み立ておよび詳細の図である。
【図３７Ａ】図３７Ａは、本発明の実施形態に従った浮力ポンプの組み立ておよび詳細の図である。
【図３７Ｂ】図３７Ｂは、本発明の実施形態に従った浮力ポンプの組み立ておよび詳細の図である。
【図３８Ａ】図３８Ａは、本発明の実施形態に従った浮力ポンプの組み立ておよび詳細の図である。
【図３８Ｂ】図３８Ｂは、本発明の実施形態に従った浮力ポンプの組み立ておよび詳細の図である。
【図３９】図３９は、本発明の実施形態に従った浮力ポンプの組み立ておよび詳細の図である。
【図４０】図４０は、本発明の実施形態に従った浮力ポンプの組み立ておよび詳細の図である。
【図４１】図４１は、本発明の実施形態に従った浮力ポンプの組み立ておよび詳細の図である。
【図４２】図４２は、本発明の実施形態に従った浮力ポンプの組み立ておよび詳細の図である。
【図４３】図４３は、本発明の実施形態に従った浮力ポンプの組み立ておよび詳細の図である。
【手続補正４】
【補正対象書類名】図面
【補正対象項目名】全図
【補正方法】変更
【補正の内容】
【図１】
2008524496.tif 000001
【図２Ａ】
2008524496.tif 000002
【図２Ｂ】
2008524496.tif 000003
【図２Ｃ】
2008524496.tif 000004
【図３Ａ】
2008524496.tif 000005
【図３Ｂ】
2008524496.tif 000006
【図３Ｃ】
2008524496.tif 000007
【図３Ｄ】
2008524496.tif 000008
【図３Ｅ】
2008524496.tif 000009
【図３Ｆ】
2008524496.tif 000010
【図４Ａ】
2008524496.tif 000011
【図４Ｂ】
2008524496.tif 000012
【図４Ｃ】
2008524496.tif 000013
【図４Ｄ】
2008524496.tif 000014
【図５】
2008524496.tif 000015
【図６】
2008524496.tif 000016
【図７】
2008524496.tif 000017
【図８】
2008524496.tif 000018
【図９】
2008524496.tif 000019
【図１０】
2008524496.tif 000020
【図１１】
2008524496.tif 000021
【図１２Ａ】
2008524496.tif 000022
【図１２Ｂ】
2008524496.tif 000023
【図１２Ｃ】
2008524496.tif 000024
【図１３】
2008524496.tif 000025
【図１４】
2008524496.tif 000026
【図１５】
2008524496.tif 000027
【図１６】
2008524496.tif 000028
【図１７Ａ】
2008524496.tif 000029
【図１７Ｂ】
2008524496.tif 000030
【図１８】
2008524496.tif 000031
【図１９】
2008524496.tif 000032
【図２０】
2008524496.tif 000033
【図２１】
2008524496.tif 000034
【図２２Ａ】
2008524496.tif 000035
【図２２Ｂ】
2008524496.tif 000036
【図２２Ｃ】
2008524496.tif 000037
【図２２Ｄ】
2008524496.tif 000038
【図２３Ａ】
2008524496.tif 000039
【図２３Ｂ】
2008524496.tif 000040
【図２４Ａ】
2008524496.tif 000041
【図２４Ｂ】
2008524496.tif 000042
【図２４Ｃ】
2008524496.tif 000043
【図２５】
2008524496.tif 000044
【図２６】
2008524496.tif 000045
【図２７】
2008524496.tif 000046
【図２８】
2008524496.tif 000047
【図２９】
2008524496.tif 000048
【図３０】
2008524496.tif 000049
【図３１】
2008524496.tif 000050
【図３２】
2008524496.tif 000051
【図３３】
2008524496.tif 000052
【図３４Ａ】
2008524496.tif 000053
【図３４Ｂ】
2008524496.tif 000054
【図３５Ａ】
2008524496.tif 000055
【図３５Ｂ】
2008524496.tif 000056
【図３５Ｃ】
2008524496.tif 000057
【図３６Ａ】
2008524496.tif 000058
【図３６Ｂ】
2008524496.tif 000059
【図３７Ａ】
2008524496.tif 000060
【図３７Ｂ】
2008524496.tif 000061
【図３８Ａ】
2008524496.tif 000062
【図３８Ｂ】
2008524496.tif 000063
【図３９】
2008524496.tif 000064
【図４０】
2008524496.tif 000065
【図４１】
2008524496.tif 000066
【図４２】
2008524496.tif 000067
【図４３】
2008524496.tif 000068